(57)【要約】【課題】消費電力を減らすことができる電源供給装置及びこれを有する液晶表示装置を提供する。【解決手段】駆動信号によりイネーブルされて直流電圧を第１交流電圧に変換し、該第１交流電圧を昇圧して電源電圧を提供する第１直流−交流変換部と、選択信号に応答して、前記駆動信号を選択的に伝達するスイッチング部と、前記スイッチング部が前記駆動信号を伝達する場合、前記駆動信号によりイネーブルされ前記直流電圧を第２交流電圧に変換し、該第２交流電圧を昇圧して電源電圧を提供する第２直流−交流変換部とを有する。【選択図】      図１
2008086186.tif 000002
【特許請求の範囲】
【請求項１】
駆動信号によりイネーブルされて直流電圧を第１交流電圧に変換し、該第１交流電圧を昇圧して電源電圧を提供する第１直流−交流変換部と、
選択信号に応答して、前記駆動信号を選択的に伝達するスイッチング部と、
前記スイッチング部が前記駆動信号を伝達する場合、前記駆動信号によりイネーブルされ前記直流電圧を第２交流電圧に変換し、該第２交流電圧を昇圧して電源電圧を提供する第２直流−交流変換部とを有することを特徴とする電源供給装置。
【請求項２】
前記第１及び第２直流−交流変換部は、ハーフブリッジインバータ（ｈａｌｆ−ｂｒｉｄｇｅ  ｉｎｖｅｒｔｅｒ）、フルブリッジインバータ（ｆｕｌｌ−ｂｒｉｄｇｅ  ｉｎｖｅｒｔｅｒ）、またはプッシュプルインバータ（ｐｕｓｈ−ｐｕｌｌ  ｉｎｖｅｒｔｅｒ）を含むことを特徴とする請求項１に記載の電源供給装置。
【請求項３】
前記ハーフブリッジインバータ、フルブリッジインバータ、またはプッシュプルインバータはＭＯＳトランジスタを含み、
前記スイッチング部は、前記ＭＯＳトランジスタのゲートに連結され、前記選択信号が第１レベルの場合、前記駆動信号を前記ゲートに伝達し、前記選択信号が第２レベルの場合、前記駆動信号を遮断することを特徴とする請求項２に記載の電源供給装置。
【請求項４】
前記ＭＯＳトランジスタはＮＭＯＳトランジスタであって、
前記スイッチング部は、前記選択信号と前記駆動信号とに所定の演算を行い、前記選択信号が第２レベルの場合、前記ＮＭＯＳトランジスタのゲートに前記駆動信号を遮断して、ローレベルの電圧を提供することを特徴とする請求項３に記載の電源供給装置。
【請求項５】
前記スイッチング部は、論理積演算子（ＡＮＤ  ｇａｔｅ）を含むことを特徴とする請求項４に記載の電源供給装置。
【請求項６】
前記ＭＯＳトランジスタはＰＭＯＳトランジスタであって、
前記スイッチング部は、前記選択信号と前記駆動信号とに所定の演算を行い、前記選択信号が第２レベルの場合、前記ＰＭＯＳトランジスタのゲートに前記駆動信号を遮断して、ハイレベルの電圧を提供することを特徴とする請求項３に記載の電源供給装置。
【請求項７】
前記スイッチング部は、論理和演算子（ＯＲ  ｇａｔｅ）を含むことを特徴とする請求項６に記載の電源供給装置。
【請求項８】
前記スイッチング部が前記駆動信号を伝達しない場合、前記第２直流−交流変換部は前記電源電圧を提供しないことを特徴とする請求項１に記載の電源供給装置。
【請求項９】
駆動信号によりイネーブルされて直流電圧を第１交流電圧に変換し、該第１交流電圧を昇圧して電源電圧を提供する第１直流−交流変換部と、
選択信号に応答して、前記直流電圧を選択的に伝達するスイッチング部と、
前記スイッチング部が前記直流電圧を伝達する場合、前記駆動信号によりイネーブルされ前記直流電圧を第２交流電圧に変換し、該第２交流電圧を昇圧して電源電圧を提供する第２直流−交流変換部とを有することを特徴とする電源供給装置。
【請求項１０】
前記スイッチング部はＭＯＳトランジスタを含むことを特徴とする請求項９に記載の電源供給装置。
【請求項１１】
前記第１及び第２直流−交流変換部はハーフブリッジインバータ（ｈａｌｆ−ｂｒｉｄｇｅ  ｉｎｖｅｒｔｅｒ）、フルブリッジインバータ（ｆｕｌｌ−ｂｒｉｄｇｅ  ｉｎｖｅｒｔｅｒ）、またはプッシュプルインバータ（ｐｕｓｈ−ｐｕｌｌ  ｉｎｖｅｒｔｅｒ）を含むことを特徴とする請求項９に記載の電源供給装置。
【請求項１２】
光を提供するバックライトアセンブリであって、第１ランプユニットと第２ランプユニットに区分される複数のランプと、前記第１ランプユニットには電源電圧を提供して、前記第２ランプユニットには選択信号に応答して前記電源電圧を選択的に提供する電源供給装置とを含むバックライトアセンブリと、
前記バックライトアセンブリから光の提供を受けて画像を表示する液晶パネルアセンブリとを有することを特徴とする液晶表示装置。
【請求項１３】
前記電源供給装置は、駆動信号によりイネーブルされて直流電圧を第１交流電圧に変換し、該第１交流電圧を昇圧して前記電源電圧を前記第１ランプユニットに提供する第１直流−交流変換部と、
前記選択信号に応答して、前記駆動信号を選択的に伝達するスイッチング部と、
前記スイッチング部が前記駆動信号を伝達する場合、前記駆動信号によりイネーブルされ前記直流電圧を第２交流電圧に変換し、該第２交流電圧を昇圧して前記電源電圧を前記第２ランプユニットに提供する第２直流−交流変換部とを含むことを特徴とする請求項１２に記載の液晶表示装置。
【請求項１４】
前記第１及び第２直流−交流変換部は、ハーフブリッジインバータ（ｈａｌｆ−ｂｒｉｄｇｅ  ｉｎｖｅｒｔｅｒ）、フルブリッジインバータ（ｆｕｌｌ−ｂｒｉｄｇｅ  ｉｎｖｅｒｔｅｒ）、またはプッシュプルインバータ（ｐｕｓｈ−ｐｕｌｌ  ｉｎｖｅｒｔｅｒ）を含むことを特徴とする請求項１３に記載の液晶表示装置。
【請求項１５】
前記ハーフブリッジインバータ、フルブリッジインバータ、またはプッシュプルインバータはＭＯＳトランジスタを含み、
前記スイッチング部は、前記ＭＯＳトランジスタのゲートに連結され、前記選択信号が第１レベルの場合、前記駆動信号を前記ゲートに伝達し、前記選択信号が第２レベルの場合、前記駆動信号を遮断することを特徴とする請求項１４に記載の液晶表示装置。
【請求項１６】
前記ＭＯＳトランジスタはＮＭＯＳトランジスタであって、
前記スイッチング部は、前記選択信号と前記駆動信号とに所定の演算を行い、前記選択信号が第２レベルの場合、前記ＮＭＯＳトランジスタのゲートに前記駆動信号を遮断して、ローレベルの電圧を提供することを特徴とする請求項１５に記載の液晶表示装置。
【請求項１７】
前記スイッチング部は、論理積演算子（ＡＮＤ  ｇａｔｅ）を含むことを特徴とする請求項１６に記載の液晶表示装置。
【請求項１８】
前記ＭＯＳトランジスタはＰＭＯＳトランジスタであって、
前記スイッチング部は、前記選択信号と前記駆動信号とに所定の演算を行い、前記選択信号が第２レベルの場合、前記ＰＭＯＳトランジスタのゲートに前記駆動信号を遮断して、ハイレベルの電圧を提供することを特徴とする請求項１５に記載の液晶表示装置。
【請求項１９】
前記スイッチング部は、論理和演算子（ＯＲ  ｇａｔｅ）を含むことを特徴とする請求項１８に記載の液晶表示装置。
【発明の詳細な説明】
【技術分野】
【０００１】
本発明は電源供給装置及びこれを有する液晶表示装置に関し、詳細には、消費電力を減らすことができる電源供給装置及びこれを有する液晶表示装置に関する。
【背景技術】
【０００２】
液晶表示装置は画素電極が具備された第１表示板と、共通電極が具備された第２表示板と、第１表示板と第２表示板間に注入された誘電率異方性（ｄｉｅｌｅｃｔｒｉｃ  ａｎｉｓｏｔｒｏｐｙ）を有する液晶層とを有する液晶パネルを含む。画素電極と共通電極間に電界が形成されて、この電界の強度を調節することによって液晶パネルを透過する光量を制御して所望する画像が表示される。
【０００３】
このような液晶表示装置は自体発光型表示装置ではないので、複数のランプを設置して光源として動作するように構成されている（例えば、特許文献１参照）。複数のランプが全て駆動される場合、消費電力が最大になるが、ユーザの意図または使用状態、例えば、バッテリ（ｂａｔｔｅｒｙ）を用いる装置に搭載される場合には駆動時間を延ばす考慮として複数のランプのうちから一部を選択的に駆動してランプによる消費電力を減らすような工夫が必要であるという問題がある。
【０００４】
【特許文献１】韓国特許出願公開第２００３−０００３６８４号明細書
【発明の開示】
【発明が解決しようとする課題】
【０００５】
そこで、本発明は上記従来の液晶表示装置における問題点に鑑みてなされたものであって、本発明の目的は、消費電力を減らすことができる電源供給装置及びこれを有する液晶表示装置を提供することにある。
【課題を解決するための手段】
【０００６】
上記目的を達成するためになされた本発明による電源供給装置は、駆動信号によりイネーブルされて直流電圧を第１交流電圧に変換し、該第１交流電圧を昇圧して電源電圧を提供する第１直流−交流変換部と、選択信号に応答して、前記駆動信号を選択的に伝達するスイッチング部と、前記スイッチング部が前記駆動信号を伝達する場合、前記駆動信号によりイネーブルされ前記直流電圧を第２交流電圧に変換し、該第２交流電圧を昇圧して電源電圧を提供する第２直流−交流変換部とを有することを特徴とする。
【０００７】
また、上記目的を達成するためになされた本発明による電源供給装置は、駆動信号によりイネーブルされて直流電圧を第１交流電圧に変換し、該第１交流電圧を昇圧して電源電圧を提供する第１直流−交流変換部と、選択信号に応答して、前記直流電圧を選択的に伝達するスイッチング部と、前記スイッチング部が前記直流電圧を伝達する場合、前記駆動信号によりイネーブルされ前記直流電圧を第２交流電圧に変換し、該第２交流電圧を昇圧して電源電圧を提供する第２直流−交流変換部とを有することを特徴とする。
【０００８】
上記目的を達成するためになされた本発明による液晶表示装置は、光を提供するバックライトアセンブリであって、第１ランプユニットと第２ランプユニットに区分される複数のランプと、前記第１ランプユニットには電源電圧を提供して、前記第２ランプユニットには選択信号に応答して前記電源電圧を選択的に提供する電源供給装置とを含むバックライトアセンブリと、前記バックライトアセンブリから光の提供を受けて画像を表示する液晶パネルアセンブリとを有することを特徴とする。
【発明の効果】
【０００９】
本発明に係る電源供給装置及びこれを有する液晶表示装置によれば、電源供給装置は選択信号に応答して、第２直流電圧を第２直流−交流変換部に伝達したり、または遮断して、複数のランプを選択的に駆動することができるので、消費電力を減らすことができるという効果がある。
【発明を実施するための最良の形態】
【００１０】
次に、本発明に係る電源供給装置及びこれを有する液晶表示装置を実施するための最良の形態の具体例を図面を参照しながら説明する。
【００１１】
本発明の利点及び特徴、そしてそれらを達成する方法は添付した図面と共に詳細に後述する実施形態を参照すると明確になる。しかし本発明は以下で開示する実施形態に限られず、多様な形態で具現でき、単に本実施形態は本発明の開示を完全なようにして、本発明が属する技術分野で通常の知識を有する者に発明の範ちゅうを完全に知らせるために提供するものであり、本発明は請求項の範ちゅうによってのみ定義される。明細書全体にかけて同一参照符号は同一構成要素を示す。
【００１２】
以下、図１を参照して本発明の実施形態による液晶表示装置を説明する。図１は、本発明の実施形態による液晶表示装置の構成を示す概略ブロック図である。
図１を参照すると、本発明の実施形態による液晶表示装置１はバックライトアセンブリ１００及び液晶パネルアセンブリ４００を含み、バックライトアセンブリ１００は、電源供給装置２００とランプ３００を含む。
【００１３】
電源供給装置２００は、交流（ＡＣ）入力部２１０、交流−直流（ＡＣ−ＤＣ）整流部２２０、直流−直流（ＤＣ−ＤＣ）変換部２３０、及び直流−交流（ＤＣ−ＡＣ）変換部２４０を含む。
ランプ３００は第１のランプユニット（３００＿１、３００＿ｎ）と第２のランプユニット（３００＿２）に区分して、第１のランプユニット（３００＿１、３００＿ｎ）には電源供給装置２００が電源電圧（Ｖａｃ＿１、Ｖａｃ＿ｎ）を提供して、第２のランプユニット（３００＿２）には電源電圧（Ｖａｃ＿２）を選択信号ＳＥＬにしたがって選択的に提供する。ここで、“第１のランプユニット”、“第２のランプユニット”は電源供給装置２００から電源電圧を持続的に提供を受けるランプと、選択的に提供を受けるランプとを区分するために用い、“ランプユニット”は１個のランプを示すことができ、必ず複数のランプを意味するのではない。
【００１４】
具体的に説明すると、先に交流入力部２１０は、例えば２２０ボルトの交流（ＡＣ）電圧を、所定のプラグをコンセント等にプラグイン（Ｐｌｕｇ−ｉｎ）することで入力を受ける。
交流−直流整流部２２０は交流（ＡＣ）電圧を第１直流電圧ＤＣ１に変換して直流−直流変換部２３０に提供する。交流−直流整流部２２０は力率補正（Ｐｏｗｅｒ  Ｆａｃｔｏｒ  Ｃｏｒｒｅｃｔｉｏｎ；ＰＦＣ）機能を具備することができる。
【００１５】
直流−直流変換部２３０は第１直流電圧ＤＣ１を第２直流電圧ＤＣ２に変換する。例えば、第２直流電圧ＤＣ２は第１直流電圧ＤＣ１より電圧レベルが大きくなり得る。直流−直流変換部２３０はバックコンバータ（ｂｕｃｋ  ｃｏｎｖｅｒｔｅｒ；降圧型コンバータ）またはブーストコンバータ（ｂｏｏｓｔ  ｃｏｎｖｅｒｔｅｒ；昇圧型コンバータ）であることがある。
【００１６】
ここで交流入力部２１０、交流−直流整流部２２０は、例えば液晶表示装置１がバッテリ（ｂａｔｔｅｒｙ）を用いる場合には省略することができ、直流−直流変換部２３０も不要な場合には省略することができる。
【００１７】
直流−交流変換部２４０は、駆動信号ＣＯＮＴによりイネーブルされて第２直流電圧ＤＣ２を電源電圧（Ｖａｃ＿１〜Ｖａｃ＿ｎ）に変換する。ここで直流−交流変換部２４０は、選択信号ＳＥＬにより応答して、第２のランプユニット（３００＿２）に電源電圧（Ｖａｃ＿２）を選択的に提供することができる。直流−交流変換部２４０は、複数のインバータ回路を含むことができるが、インバータ回路はハーフブリッジインバータ（ｈａｌｆ  ｂｒｉｄｇｅ  ｉｎｖｅｒｔｅｒ）、フルブリッジインバータ（ｆｕｌｌ  ｂｒｉｄｇｅ  ｉｎｖｅｒｔｅｒ）、またはプッシュプルインバータ（ｐｕｓｈ  ｐｕｌｌ  ｉｎｖｅｒｔｅｒ）であることがある。ここで駆動信号ＣＯＮＴは輝度制御のための信号であることができ、したがって、ＩＣ形態のコントローラ（図示せず）から提供する信号であることができる。選択信号ＳＥＬもＩＣ形態のコントローラ（図示せず）から提供することができる。
【００１８】
ランプユニット（３００＿１〜３００＿ｎ）全部または一部に電源電圧（Ｖａｃ＿１〜Ｖａｃ＿ｎ）を選択的に提供することは、選択信号ＳＥＬにより応答して、第２直流電圧ＤＣ２を複数のインバータ回路全てに提供したり、または一部に提供することによって達成することができ、または選択信号ＳＥＬに応答して、駆動信号ＣＯＮＴを複数のインバータ回路全てに提供したり、または一部に提供することによって達成することができる。
直流−交流変換部２４０の内部回路及び具体的な動作は図３〜図１８を参照して後述する。
【００１９】
ランプ３００は複数のランプユニット（３００＿１〜３００＿ｎ）を含み、電源供給装置２００から提供した電源電圧（Ｖａｃ＿１〜Ｖａｃ＿ｎ）を利用して光を発生する。電源供給装置２００が電源電圧（Ｖａｃ＿１〜Ｖａｃ＿ｎ）を選択的に提供するので、それによって複数のランプ（３００＿１〜３００＿ｎ）の全部または一部が光を発生する。
【００２０】
ここでバックライトアセンブリ１００はエッジ型であることもでき、直下型であることもできる。特に、エッジ型である場合にはバックライトアセンブリ１００は導光板を含み、導光板の一側部または両側部それぞれに１個または２個（又はそれ以上）のランプを具備することができる。
液晶パネルアセンブリ４００はバックライトアセンブリ１００から光の提供を受けて画像を表示する。
【００２１】
このような液晶表示装置１は、ユーザの意図、または照明環境等の状況により複数のランプユニット（３００＿１〜３００＿ｎ）のうち全部または一部を選択的に駆動することができる。例えば、周辺環境によって輝度を高める必要がない場合にはランプユニット（３００＿１〜３００＿ｎ）のうち一部のみを駆動して、消費電力を減らすことができる。
【００２２】
図２は本発明のいくつかの実施形態による電源供給装置の直流−交流変換部を説明するためのブロック図である。説明の便宜上、第１のランプユニット及び第２のランプユニットはそれぞれ１個のランプを含む場合を例に挙げて説明する。
【００２３】
図２を参照すると、電源供給装置（図１の２００参照）の直流−交流変換部２４０は第１直流−交流（ＤＣ−ＡＣ）変換部２５０、第２直流−交流（ＤＣ−ＡＣ）変換部２７０及びスイッチング部２６０を含む。
第１直流−交流変換部２５０は、駆動信号ＣＯＮＴによりイネーブルされて第２直流電圧ＤＣ２を電源電圧（Ｖａｃ＿１）に変換して第１のランプユニット（３００＿１）に提供する。
【００２４】
スイッチング部２６０は選択信号ＳＥＬに応答して、駆動信号ＣＯＮＴを第２直流−交流変換部２７０に伝達したり、または遮断する。
第２直流−交流変換部２７０は、スイッチング部２６０が駆動信号ＣＯＮＴを提供した場合に、第２直流電圧ＤＣ２を電源電圧（Ｖａｃ＿２）に変換して第２のランプユニット（３００＿２）に提供して、スイッチング部２６０が駆動信号ＣＯＮＴを遮断した場合、第２直流電圧ＤＣ２を電源電圧（Ｖａｃ＿２）に変換しない。
【００２５】
したがって、このような電源供給装置（図１の２００参照）はランプユニット（３００＿１、３００＿２）を選択的に駆動することができる。
【００２６】
以下で図３〜図１４を参照して、具体的ないくつかの実施形態を説明する。
図３は本発明の第１の実施形態による電源供給装置の直流−交流変換部の回路図であって、  図４は選択信号がハイレベルである時の図３の第２直流−交流変換部の等価回路図であって、図５は図３の第２直流−交流変換部の動作を説明するための表である。
【００２７】
まず図３を参照すると、第１直流−交流変換部２５１及び第２直流−交流変換部２７１はそれぞれハーフブリッジインバータ（ＨＢ＿１、ＨＢ＿２）とトランスフォーマー（ｔｒａｎｓｆｏｒｍｅｒ）（ＴＦ＿１、ＴＦ＿２）を含む。
【００２８】
ハーフブリッジインバータ（ＨＢ＿１、ＨＢ＿２）はそれぞれ２個のＭＯＳトランジスタ（Ｑ＿Ｐ１、Ｑ＿Ｎ１、Ｑ＿Ｐ２、Ｑ＿Ｎ２）とそれぞれ２個のキャパシタ（Ｃ１、Ｃ２、Ｃ３、Ｃ４）を含む。それぞれ２個のＭＯＳトランジスタ（Ｑ＿Ｐ１）と（Ｑ＿Ｎ１）、（Ｑ＿Ｐ２）と（Ｑ＿Ｎ２）はそれぞれＰＭＯＳ（Ｐ−ＭＯＳ）トランジスタとＮＭＯＳ（Ｎ−ＭＯＳ）トランジスタである場合を示したが、これに限られず、それぞれ２個のＭＯＳトランジスタ（Ｑ＿Ｐ１）と（Ｑ＿Ｎ１）、（Ｑ＿Ｐ２）と（Ｑ＿Ｎ２）全てがＰＭＯＳ（Ｐ−ＭＯＳ）またはＮＭＯＳ（Ｎ−ＭＯＳ）トランジスタであることもできる。
【００２９】
第１直流−交流変換部２５１のハーフブリッジインバータ（ＨＢ＿１）は、Ｐ型駆動信号（ＣＯＮＴ＿Ｐ）及びＮ型駆動信号（ＣＯＮＴ＿Ｎ）を含む駆動信号ＣＯＮＴによりイネーブルされて、第２直流電圧ＤＣ２を所定レベルの交流電圧に変換する。第１直流−交流変換部２５１のトランスフォーマー（ＴＦ＿１）はハーフブリッジインバータ（ＨＢ＿１）から所定レベルの交流電圧の提供を受けて、昇圧して電源電圧（Ｖａｃ＿１）を出力する。
【００３０】
具体的に説明すると、先に第１キャパシタＣ１と第２キャパシタＣ２は第２直流電圧ＤＣ２を電圧分配して所定レベルの電圧にそれぞれ充電される。例えば、第１キャパシタＣ１と第２キャパシタＣ２は第２直流電圧ＤＣ２の半分にそれぞれ充電されることができる。
【００３１】
第１ＰＭＯＳトランジスタ（Ｑ＿Ｐ１）と第１ＮＭＯＳトランジスタ（Ｑ＿Ｎ１）のゲートにはそれぞれＰ型駆動信号（ＣＯＮＴ＿Ｐ）及びＮ型駆動信号（ＣＯＮＴ＿Ｎ）が入力されて、第１ＰＭＯＳトランジスタ（Ｑ＿Ｐ１）と第１ＮＭＯＳトランジスタ（Ｑ＿Ｎ１）が交互にイネーブルされる。言い換えると、第１ＰＭＯＳトランジスタ（Ｑ＿Ｐ１）がターンオンされれば第１ＮＭＯＳトランジスタ（Ｑ＿Ｎ１）はターンオフされて、第１ＰＭＯＳトランジスタ（Ｑ＿Ｐ１）がターンオフされれば第１ＮＭＯＳトランジスタ（Ｑ＿Ｎ１）はターンオンされる。
【００３２】
したがってトランスフォーマー（ＴＦ＿１）の一次コイルＣＬ１に、所定レベルの電圧が極性を異にして印加される。例えば、第２直流電圧ＤＣ２が１２Ｖの場合、トランスフォーマー（ＴＦ＿１）の一次コイルＣＬ１に＋６Ｖと−６Ｖが順次に印加される。
【００３３】
トランスフォーマー（ＴＦ＿１）は一次側コイルＣＬ１に印加された交流電圧を昇圧して電源電圧（Ｖａｃ＿１）を出力する。第１のランプユニット（３００＿１）は電源電圧（Ｖａｃ＿１）の提供を受けて光を発生する。
【００３４】
第２直流−交流変換部２７１は、スイッチング部２６１が選択信号ＳＥＬにしたがって第２ＰＭＯＳトランジスタ（Ｑ＿Ｐ２）のゲートＧ１にＰ型駆動信号（ＣＯＮＴ＿Ｐ）を提供したり、または遮断するので、これにより電源電圧（Ｖａｃ＿２）を第２のランプユニット（３００＿２）に提供したりまたは提供しない。ここでスイッチング部２６１は選択信号ＳＥＬとＰ型駆動信号（ＣＯＮＴ＿Ｐ）を所定の演算を行う論理和演算子（ＯＲ  ｇａｔｅ；ＯＲ）を含むことができる。
【００３５】
まず、図３及び図５を参照して第２直流−交流変換部２７１が第２のランプユニット（３００＿２）に電源電圧（Ｖａｃ＿２）を提供する場合を具体的に説明する。
【００３６】
選択信号ＳＥＬがローレベル（Ｌ）ならば、第２ＰＭＯＳトランジスタ（Ｑ＿Ｐ２）のゲートＧ１にはＰ型駆動信号（ＣＯＮＴ＿Ｐ）がそのまま提供される。すなわち、Ｐ型駆動信号（ＣＯＮＴ＿Ｐ）がローレベル（Ｌ）ならば第２ＰＭＯＳトランジスタ（Ｑ＿Ｐ２）のゲートＧ１にローレベル（Ｌ）の電圧が印加されて、Ｐ型駆動信号（ＣＯＮＴ＿Ｐ）がハイレベル（Ｈ）ならば第２ＰＭＯＳトランジスタ（Ｑ＿Ｐ２）のゲートＧ１にハイレベル（Ｈ）の電圧が印加される。したがってこの場合、第２直流−交流変換部２７１は第１直流−交流変換部２５１と同じく動作するので、トランスフォーマー（ＴＦ＿２）の一次コイルＣＬ２に交流電圧が印加されて、トランスフォーマー（ＴＦ＿２）が交流電圧を昇圧して電源電圧（Ｖａｃ＿２）を第２のランプユニット３００＿２に提供するので、第２のランプユニット（３００＿２）は光を発生する。
【００３７】
次に、図４及び図５を参照して第２直流−交流変換部２７１が第２のランプユニット（３００＿２）に電源電圧（Ｖａｃ＿２）を提供しない場合を具体的に説明する。
【００３８】
選択信号ＳＥＬがハイレベル（Ｈ）ならば、第２ＰＭＯＳトランジスタ（Ｑ＿Ｐ２）のゲートＧ１にはハイレベル（Ｈ）の電圧が印加される。したがって第２ＰＭＯＳトランジスタ（Ｑ＿Ｐ２）はターンオフされて、第２直流−交流変換部２７１は図４に示すような回路になる。ここでＮ型駆動信号（ＣＯＮＴ＿Ｎ）にしたがって第２ＮＭＯＳトランジスタ（Ｑ＿Ｎ２）がターンオン又はターンオフされても、一次コイルＣＬ２に交流電圧が印加されないので、トランスフォーマー（ＴＦ＿２）は電源電圧（Ｖａｃ＿２）を出力しない。
【００３９】
したがって第２のランプユニット（３００＿２）はオフされる。また、選択信号ＳＥＬがローレベル（Ｌ）になる前には、第２ＰＭＯＳトランジスタ（Ｑ＿Ｐ２）のゲートＧ１にハイレベル（Ｈ）の電圧が引き続き印加されるので、第２のランプユニット（３００＿２）はオフ状態に維持される。言い換えると、第２ＰＭＯＳトランジスタ（Ｑ＿Ｐ２）のゲートＧ１はフローティング（ｆｌｏａｔｉｎｇ）状態にならず、ローレベル（Ｌ）の電圧が維持される。
【００４０】
したがって、直流−交流変換部２４１は選択信号ＳＥＬにしたがって電源電圧（Ｖａｃ＿２）を選択的に提供する。すなわち、選択信号ＳＥＬがローレベル（Ｌ）ならば第１及び第２のランプユニット（３００＿１、３００＿２）の全てが光を発生して、選択信号ＳＥＬがハイレベル（Ｈ）ならば第１のランプユニット（３００＿１）だけが光を発生する。ここで、選択信号ＳＥＬがローレベルである場合に第１及び第２のランプユニット（３００＿１、３００＿２）に電源電圧（Ｖａｃ＿１、Ｖａｃ＿２）を提供して、ハイレベルの場合に第１のランプユニット（３００＿１）にだけ電源電圧（Ｖａｃ＿１）を提供するようにスイッチング部２６０が変化することができることは明らかである。
【００４１】
次に、図６〜図８を参照して本発明の第２の実施形態による電源供給装置の直流−交流変換部を説明する。
図６は本発明の第２の実施形態による電源供給装置の直流−交流変換部の回路図であり、図７は選択信号がハイレベルである時の図６の第２直流−交流変換部の等価回路図であり、図８は図６の第２直流−交流変換部の動作を説明するための表である。図３及び図４に示した要素と同じ機能をする要素に対しては同じ図面符号を用いて、説明の便宜上詳細な説明は省略する。
【００４２】
図６を参照すると、第２直流−交流変換部２７１は、スイッチング部２６２が選択信号ＳＥＬにしたがって第２ＮＭＯＳトランジスタ（Ｑ＿Ｎ２）のゲートＧ２にＮ型駆動信号（ＣＯＮＴ＿Ｎ）を提供したりまたは遮断するので、電源電圧（Ｖａｃ＿２）を第２のランプユニット（３００＿２）に提供したりまたは提供しない。ここでスイッチング部２６２は選択信号ＳＥＬとＮ型駆動信号（ＣＯＮＴ＿Ｎ）とに所定の演算を行う論理和演算子（ＡＮＤ  ｇａｔｅ；ＡＮＤ）とインバータ（ｉｎｖｅｒｔｅｒ；ＩＮＶ）を含むことができる。
【００４３】
まず、図６及び図８を参照して第２直流−交流変換部２７１が第２のランプユニット（３００＿２）に電源電圧（Ｖａｃ＿２）を提供する場合を具体的に説明する。
【００４４】
選択信号ＳＥＬがローレベル（Ｌ）ならば、第２ＮＭＯＳトランジスタ（Ｑ＿Ｎ２）のゲートにはＮ型駆動信号（ＣＯＮＴ＿Ｎ）がそのまま提供される。すなわち、Ｎ型駆動信号（ＣＯＮＴ＿Ｎ）がローレベル（Ｌ）ならば第２ＮＭＯＳトランジスタ（Ｑ＿Ｎ２）のゲートＧ２にローレベル（Ｌ）の電圧が印加されて、Ｎ型駆動信号（ＣＯＮＴ＿Ｎ）がハイレベル（Ｈ）ならば第２ＮＭＯＳトランジスタ（Ｑ＿Ｎ２）のゲートＧ２にハイレベル（Ｈ）の電圧が印加される。したがってこの場合、上述した第１直流−交流変換部２５１と同じく動作するので、トランスフォーマー（ＴＦ＿２）の一次コイルＣＬ２に交流電圧が印加されて、トランスフォーマー（ＴＦ＿２）が交流電圧を昇圧して電源電圧（Ｖａｃ＿２）を第２のランプユニット（３００＿２）に提供するので、第２のランプユニット（３００＿２）は光を発生する。
【００４５】
次に図７及び図８を参照して第２直流−交流変換部２７１が第２ランプユニット（３００＿２）に電源電圧（Ｖａｃ＿２）を提供しない場合を具体的に説明する。
【００４６】
選択信号ＳＥＬがハイレベル（Ｈ）ならば、第２ＮＭＯＳトランジスタ（Ｑ＿Ｎ２）のゲートＧ２にローレベル（Ｌ）の電圧が印加される。したがって、第２ＮＭＯＳトランジスタ（Ｑ＿Ｎ２）はターンオフされて、第２直流−交流変換部２７１は図７に示すような回路になる。この時、Ｐ型駆動信号（ＣＯＮＴ＿Ｐ）にしたがって第２ＰＭＯＳトランジスタ（Ｑ＿Ｐ２）がターンオン又はターンオフされても、一次コイルＣＬ２に交流電圧が印加されないので、トランスフォーマー（ＴＦ＿２）は電源電圧（Ｖａｃ＿２）を提供しない。したがって第２のランプユニット（３００＿２）はオフされる。また選択信号ＳＥＬがローレベル（Ｌ）になる前には、第２ＮＭＯＳトランジスタ（Ｑ＿Ｎ２）のゲートＧ２にローレベル（Ｌ）の電圧が引き続き印加されるので、第２のランプユニット（３００＿２）はオフ状態に維持される。
【００４７】
したがって、直流−交流変換部２４２は選択信号ＳＥＬにしたがって電源電圧（Ｖａｃ＿２）を選択的に提供するので、それによって第１及び第２のランプユニット（３００＿１、３００＿２）の全てが光を発生したり、或いは第１のランプユニット（３００＿１）だけが光を発生したりする。
【００４８】
図９〜図１１を参照して本発明の第３の実施形態による電源供給装置の直流−交流変換部を説明する。図９は本発明の第３の実施形態による電源供給装置の直流−交流変換部の回路図であり、図１０は選択信号がハイレベルの場合の図９の第２直流−交流変換部の等価回路図であり、図１１は図９の第２直流−交流変換部の動作を説明するための表である。
【００４９】
図９を参照すると、第１直流−交流変換部２５２及び第２直流−交流変換部２７２はそれぞれフルブリッジインバータ（ＦＢ＿１、ＦＢ＿２）とトランスフォーマー（ＴＦ＿１、ＴＦ＿２）を含む。
【００５０】
まず、フルブリッジインバータ（ＦＢ＿１、ＦＢ＿２）はそれぞれ４個のＭＯＳトランジスタ（Ｑ＿Ｐ１、Ｑ＿Ｎ１、Ｑ＿Ｐ２、Ｑ＿Ｎ２、Ｑ＿Ｐ３、Ｑ＿Ｎ３、Ｑ＿Ｐ４、Ｑ＿Ｎ４）を含む。４個のＭＯＳトランジスタ（Ｑ＿Ｐ１）と（Ｑ＿Ｐ２）、（Ｑ＿Ｐ３）と（Ｑ＿Ｐ４）はＰＭＯＳ（Ｐ−ＭＯＳ）トランジスタであって、４個のＭＯＳトランジスタ（Ｑ＿Ｎ１）と（Ｑ＿Ｎ２）、（Ｑ＿Ｎ３）と（Ｑ＿Ｎ４）はＮＭＯＳ（Ｎ−ＭＯＳ）トランジスタである場合を示したが、これに限られず、いずれもＰＭＯＳ（Ｐ−ＭＯＳ）またはＮＭＯＳ（Ｎ−ＭＯＳ）トランジスタであることもできる。
【００５１】
第１直流−交流変換部２５２のフルブリッジインバータ（ＦＢ＿１）は、第１及び第２Ｐ型駆動信号（ＣＯＮＴ＿Ｐ１、ＣＯＮＴ＿Ｐ２）と、第１及び第２Ｎ型駆動信号（ＣＯＮＴ＿Ｎ１、ＣＯＮＴ＿Ｎ２）によりイネーブルされて、第２直流電圧ＤＣ２を所定レベルの交流電圧に変換する。第１直流−交流変換部２５２のトランスフォーマー（ＴＦ＿１）はフルブリッジインバータ（ＦＢ＿１）から所定レベルの交流電圧の提供を受けて、昇圧して電源電圧（Ｖａｃ＿１）を出力する。
【００５２】
具体的に説明すると、第１ＰＭＯＳトランジスタ（Ｑ＿Ｐ１）及び第２ＰＭＯＳトランジスタ（Ｑ＿Ｐ２）がターンオンされれば、第１ＮＭＯＳトランジスタ（Ｑ＿Ｎ１）及び第２ＮＭＯＳトランジスタ（Ｑ＿Ｎ２）はターンオフされて、第１ＰＭＯＳトランジスタ（Ｑ＿Ｐ１）及び第２ＰＭＯＳトランジスタ（Ｑ＿Ｐ２）がターンオフされれば、第１ＮＭＯＳトランジスタ（Ｑ＿Ｎ１）及び第２ＮＭＯＳトランジスタ（Ｑ＿Ｎ２）はターンオンされる。
【００５３】
第１及び第２ＰＭＯＳトランジスタ（Ｑ＿Ｐ１、Ｑ＿Ｐ２）と第１及び第２ＮＭＯＳトランジスタ（Ｑ＿Ｎ１、Ｑ＿Ｎ２）がペアを組んで交互にターンオン又はターンオフされるので、トランスフォーマー（ＴＦ＿１）の一次コイルＣＬ１に第２直流電圧ＤＣ２が極性を異にして印加される。例えば、第２直流電圧ＤＣ２が１２Ｖの場合、トランスフォーマー（ＴＦ＿１）の一次側コイルＣＬ１に＋１２Ｖと−１２Ｖが順次に印加される。
【００５４】
トランスフォーマー（ＴＦ＿１）は一次コイルＣＬ１に印加された交流電圧を昇圧して電源電圧（Ｖａｃ＿１）を出力する。第１のランプユニット（３００＿１）は電源電圧（Ｖａｃ＿１）の提供を受けて光を発生する。
【００５５】
第２直流−交流変換部２７２は、スイッチング部２６３が選択信号ＳＥＬにしたがってフルブリッジインバータ（ＦＢ＿２）の第４ＰＭＯＳトランジスタ（Ｑ＿Ｐ４）のゲートＧ３に第２Ｐ型駆動信号（ＣＯＮＴ＿Ｐ２）を提供したりまたは遮断し、また第４ＮＭＯＳトランジスタ（Ｑ＿Ｎ４）のゲートＧ４に第２Ｎ型駆動信号（ＣＯＮＴ＿Ｎ２）を提供したりまたは遮断するので、電源電圧（Ｖａｃ＿２）を第２のランプユニット（３００＿２）に提供したりまたは提供しない。ここでスイッチング部２６３は論理積演算子（ＡＮＤ）、論理和演算子（ＯＲ）及びインバータ（ＩＮＶ）を含むことができる。
【００５６】
まず、図９及び図１１を参照して第２直流−交流変換部２７２が電源電圧（Ｖａｃ＿２）を第２のランプユニット（３００＿２）に提供する場合を具体的に説明する。
【００５７】
選択信号ＳＥＬがローレベル（Ｌ）ならば、第４ＰＭＯＳトランジスタ（Ｑ＿Ｐ４）のゲートＧ３には第２Ｐ型駆動信号（ＣＯＮＴ＿Ｐ２）がそのまま提供されて、第４ＮＭＯＳトランジスタ（Ｑ＿Ｎ４）のゲートＧ４には第２Ｎ型駆動信号（ＣＯＮＴ＿Ｎ２）がそのまま提供される。したがってこの場合、上述した第１直流−交流変換部２５２と同じく動作するので、トランスフォーマー（ＴＦ＿２）の一次コイルＣＬ２に交流電圧が印加されて、トランスフォーマー（ＴＦ＿２）が交流電圧を昇圧して電源電圧（Ｖａｃ＿２）を第２のランプユニット（３００＿２）に提供するので、第２のランプユニット（３００＿２）は光を発生する。
【００５８】
次に、図１０及び図１１を参照して第２直流−交流変換部２７２が電源電圧（Ｖａｃ＿２）を第２のランプユニット（３００＿２）に提供しない場合を具体的に説明する。
【００５９】
選択信号ＳＥＬがハイレベル（Ｈ）ならば、第４ＰＭＯＳトランジスタ（Ｑ＿Ｐ４）のゲートＧ３にはハイレベル（Ｈ）の電圧が印加されて、第４ＮＭＯＳトランジスタ（Ｑ＿Ｎ４）のゲートＧ４にはローレベル（Ｌ）の電圧が印加される。したがって、第４ＰＭＯＳトランジスタ（Ｑ＿Ｐ４）及び第４ＮＭＯＳトランジスタ（Ｑ＿Ｎ４）は全てターンオフされて、第２直流−交流変換部２７２は図１０に示すような回路になる。この時、第２Ｐ型駆動信号（ＣＯＮＴ＿Ｐ２）及び第２Ｎ型駆動信号（ＣＯＮＴ＿Ｎ２）にしたがって、第３ＰＭＯＳトランジスタ（Ｑ＿Ｐ３）及び第３ＮＭＯＳトランジスタ（Ｑ＿Ｎ３）がターンオン又はターンオフされても、一次コイルＣＬ２に交流電圧が印加されないので、トランスフォーマー（ＴＦ＿２）が電源電圧（Ｖａｃ＿２）を出力しない。したがって第２のランプユニット（３００＿２）はオフされる。
【００６０】
したがって、直流−交流変換部２４３は選択信号ＳＥＬにしたがって電源電圧（Ｖａｃ＿２）を選択的に提供するので、それによって第１及び第２のランプユニット（３００＿１、３００＿２）の全てが光を発生したり、或いは第１のランプユニット（３００＿１）だけが光を発生したりする。
【００６１】
本実施形態ではスイッチング部２６３が第４ＰＭＯＳトランジスタ（Ｑ＿Ｐ４）及び第４ＮＭＯＳトランジスタ（Ｑ＿Ｎ４）全てを制御する場合を例に挙げたが、第４ＰＭＯＳトランジスタ（Ｑ＿Ｐ４）及び第４ＮＭＯＳトランジスタ（Ｑ＿Ｎ４）のうちでいずれか一つのみを制御することもできる。
【００６２】
図１２〜図１４を参照して本発明の第４の実施形態による電源供給装置の直流−交流変換部を説明する。図１２は本発明の第４の実施形態による電源供給装置の直流−交流変換部の回路図であり、図１３は選択信号がハイレベルの場合の図１２の第２直流−交流変換部の等価回路図であり、図１４は図１２の第２直流−交流変換部の動作を説明するための表である。
【００６３】
まず図１２を参照すると、プッシュプルインバータ（ＰＰ＿１、ＰＰ＿２）はそれぞれ２個のＭＯＳトランジスタ（Ｑ＿Ｐ１、Ｑ＿Ｎ１、Ｑ＿Ｐ２、Ｑ＿Ｎ２）とそれぞれ２個のキャパシタ（Ｃ５、Ｃ６、Ｃ７、Ｃ８）及びそれぞれ１個のインダクタ（Ｌ１、Ｌ２）を含む。それぞれ２個のＭＯＳトランジスタ（Ｑ＿Ｐ１）と（Ｑ＿Ｎ１）、（Ｑ＿Ｐ２）と、（Ｑ＿Ｎ２）はそれぞれＰＭＯＳ（Ｐ−ＭＯＳ）トランジスタとＮＭＯＳ（Ｎ−ＭＯＳ）トランジスタである場合を示したが、これに限られず、ＭＯＳトランジスタ（Ｑ＿Ｐ１、Ｑ＿Ｎ１、Ｑ＿Ｐ２、Ｑ＿Ｎ２）全てがＰＭＯＳ（Ｐ−ＭＯＳ）またはＮＭＯＳ（Ｎ−ＭＯＳ）トランジスタであることもできる。
【００６４】
第１直流−交流変換部２５３のプッシュプルインバータ（ＰＰ＿１）は、Ｐ型駆動信号（ＣＯＮＴ＿Ｐ）と、Ｎ型駆動信号（ＣＯＮＴ＿Ｎ）を含む駆動信号ＣＯＮＴによりイネーブルされて、第２直流電圧ＤＣ２を所定レベルの交流電圧に変換する。第１直流−交流変換部２５３のトランスフォーマー（ＴＦ＿１）はプッシュプルインバータ（ＰＰ＿１）から所定レベルの交流電圧の提供を受けて、昇圧して電源電圧（Ｖａｃ＿１）を出力する。
【００６５】
具体的に説明すると、第１ＰＭＯＳトランジスタ（Ｑ＿Ｐ１）と第１ＮＭＯＳトランジスタ（Ｑ＿Ｎ１）は交互にターンオン又はターンオフされる。言い換えると第１ＰＭＯＳトランジスタ（Ｑ＿Ｐ１）がターンオンされれば第１ＮＭＯＳトランジスタ（Ｑ＿Ｎ１）がターンオフされて、第１ＰＭＯＳトランジスタ（Ｑ＿Ｐ１）がターンオフされれば第１ＮＭＯＳトランジスタ（Ｑ＿Ｎ１）がターンオンされる。
【００６６】
第１ＰＭＯＳトランジスタ（Ｑ＿Ｐ１）と第１ＮＭＯＳトランジスタ（Ｑ＿Ｎ１）は交互にターンオン又はターンオフされながら、インダクターＬ１と第５キャパシタＣ５及び第６キャパシタＣ６によりトランスフォーマー（ＴＦ＿１）の一次コイルＣＬ１に、交流電圧が印加される。トランスフォーマー（ＴＦ＿１）は一次コイルＣＬ１に印加された交流電圧を昇圧して電源電圧（Ｖａｃ＿１）を出力する。第１のランプユニット（３００＿１）は電源電圧（Ｖａｃ＿１）の提供を受けて光を発生する。
【００６７】
第２直流−交流変換部２７３は、スイッチング部２６４が選択信号ＳＥＬにしたがって第２ＮＭＯＳトランジスタ（Ｑ＿Ｎ２）のゲートＧ５にＮ型駆動信号（ＣＯＮＴ＿Ｎ）を提供したりまたは遮断するので、電源電圧（Ｖａｃ＿１）を第１のランプユニット（３００＿１）に提供したりまたは提供しない。
【００６８】
まず、図１２及び図１４を参照して第２直流−交流変換部２７３が第２のランプユニット（３００＿２）に電源電圧（Ｖａｃ＿２）を提供する場合を具体的に説明する。
【００６９】
選択信号ＳＥＬがローレベル（Ｌ）ならば、第２ＮＭＯＳトランジスタ（Ｑ＿Ｎ２）のゲートにはＮ型駆動信号（ＣＯＮＴ＿Ｎ）がそのまま提供される。したがってこの場合、上述した第１直流−交流変換部２５３と同じく動作するので、トランスフォーマー（ＴＦ＿２）の一次コイルＣＬ２に交流電圧が印加されて、トランスフォーマー（ＴＦ＿２）が交流電圧を昇圧して電源電圧（Ｖａｃ＿２）を第２のランプユニット（３００＿２）に提供するので、第２のランプユニット（３００＿２）は光を発生する。
【００７０】
次に、図１３及び図１４を参照して第２直流−交流変換部２７３が電源電圧（Ｖａｃ＿２）を第２のランプユニット（３００＿２）に提供しない場合を具体的に説明する。
【００７１】
選択信号ＳＥＬがハイレベル（Ｈ）ならば、第２ＮＭＯＳトランジスタ（Ｑ＿Ｎ２）のゲートＧ５にはローレベル（Ｌ）の電圧が印加されて第２ＮＭＯＳトランジスタ（Ｑ＿Ｎ２）がターンオフされて、第２直流−交流変換部２７３は図１３に示すような回路になる。この時、Ｐ型駆動信号（ＣＯＮＴ＿Ｐ）にしたがって第２ＰＭＯＳトランジスタ（Ｑ＿Ｐ２）がターンオン又はターンオフされても、２個のキャパシタＣ７、Ｃ８に第２直流電圧が充電されて、一次コイルＣＬ２に交流電圧が印加されないので、トランスフォーマー（ＴＦ＿２）は電源電圧（Ｖａｃ＿２）を出力しない。したがって第２のランプユニット（３００＿２）はオフされる。
【００７２】
すなわち、直流−交流変換部２４４は選択信号ＳＥＬにしたがって電源電圧（Ｖａｃ＿２）を選択的に提供するので、それによって第１及び第２のランプユニット（３００＿１、３００＿２）の全てが光を発生したり、或いは第１のランプユニット（３００＿１）だけが光を発生したりする。
【００７３】
上述したいくつかの実施形態による電源供給装置は選択信号に応答して、駆動信号を第２直流−交流変換部に伝達したり、または遮断して、ランプに電源電圧を選択的に提供することができる。したがってランプによる消費電力を減らすことができる。
【００７４】
図１５を参照して本発明のさらに他のいくつかの実施形態による電源供給装置の直流−交流変換部を説明する。図１５は本発明のさらに他のいくつかの実施形態による電源供給装置の直流−交流変換部のブロック図である。
【００７５】
図１５を参照すると、直流−交流変換部２９０は第１直流−交流変換部２５０、第２直流−交流変換部２７０及びスイッチング部２８０を含む。前述した実施形態と違って、スイッチング部２８０は選択信号ＳＥＬに応答して第２直流電圧ＤＣ２を第２直流−交流変換部２７０に伝達したりまたは遮断する。したがって電源供給装置（図１の２００参照）は選択信号ＳＥＬにしたがって電源電圧（Ｖａｃ＿１、Ｖａｃ＿２）をランプユニット（３００＿１、３００＿２）のうちから選択的に提供する。
【００７６】
以下で図１６〜図１８を参照して、具体的にいくつかの実施形態を説明する。
図１６は本発明の第５の実施形態による電源供給装置の直流−交流変換部の回路図である。図３に示した要素と同じ機能をする要素に対しては同じ図面符号を用いて、説明の便宜上該要素の詳細な説明は省略する。
【００７７】
図１６を参照すると、第１直流−交流変換部２５１及び第２直流−交流変換部２７１はハーフブリッジインバータ（ＨＢ＿１、ＨＢ＿２）とトランスフォーマー（ＴＦ＿１、ＴＦ＿２）をそれぞれ含む。スイッチング部２８１はインバータ（ＩＮＶ）とＭＯＳトランジスタＱｓを含み、選択信号ＳＥＬに応答して第２直流電圧ＤＣ２を第２直流−交流変換部２７１のハーフブリッジインバータ（ＨＢ＿２）に伝達したりまたは遮断する。
【００７８】
ここでＭＯＳトランジスタＱｓがＮＭＯＳトランジスタである場合を例に挙げて説明すると、選択信号ＳＥＬがハイレベルならば、ＮＭＯＳトランジスタＱｓのゲートにローレベルの電圧が印加されてターンオフされる。したがって第２直流電圧ＤＣ２がハーフブリッジインバータ（ＨＢ＿２）に印加されないので、第２直流−交流変換部２７１が第２のランプユニット（３００＿２）に電源電圧（Ｖａｃ＿２）を提供しない。
【００７９】
すなわち、直流−交流変換部２９１は選択信号ＳＥＬにしたがって電源電圧（Ｖａｃ＿２）を選択的に提供するので、それによって第１及び第２のランプユニット（３００＿１、３００＿２）の全てが光を発生したり、或いは第１のランプユニット（３００＿１）だけが光を発生したりする。ここで、ＭＯＳトランジスタＱｓはＰＭＯＳトランジスタであることもでき、インバータ（ＩＮＶ）も省略することができる。
【００８０】
図１７は本発明の第６の実施形態による電源供給装置の直流−交流変換部の回路図である。図９及び図１６に示した要素と同じ機能をする要素に対しては同じ図面符号を用いて、説明の便宜上該要素の詳細な説明は省略する。
【００８１】
図１７を参照すると、第１直流−交流変換部２５２及び第２直流−交流変換部２７２はフルブリッジインバータ（ＦＢ＿１、ＦＢ＿２）とトランスフォーマー（ＴＦ＿１、ＴＦ＿２）をそれぞれ含む。スイッチング部２８１はインバータ（ＩＮＶ）とＭＯＳトランジスタＱｓを含み、選択信号ＳＥＬに応答して第２直流電圧ＤＣ２を第２直流−交流変換部２７２のハーフブリッジインバータ（ＨＢ＿２）に伝達したりまたは遮断する。したがって、選択信号ＳＥＬにしたがって第２のランプユニット（３００＿２）を選択的に駆動することができる。
【００８２】
すなわち、直流−交流変換部２９２は選択信号ＳＥＬにしたがって電源電圧（Ｖａｃ＿２）を選択的に提供するので、それによって第１及び第２のランプユニット（３００＿１、３００＿２）の全てが光を発生したり、或いは第１のランプユニット（３００＿１）だけが光を発生したりする。
【００８３】
図１８は本発明の第７の実施形態による電源供給装置の直流−交流変換部の回路図である。図１２に示した要素と同じ機能をする要素に対しては同じ図面符号を用いて、説明の便宜上該要素の詳細な説明は省略する。
【００８４】
図１８を参照すると、第１直流−交流変換部２５３及び第２直流−交流変換部２７３はプッシュプルインバータ（ＰＰ＿１、ＰＰ＿２）とトランスフォーマー（ＴＦ＿１、ＴＦ＿２）をそれぞれ含む。スイッチング部２８２は論理和演算子（ＯＲ）を含み、選択信号ＳＥＬに応答して第２直流電圧ＤＣ２を伝達したりまたは遮断する。ここでスイッチング部２８２は図３に示したスイッチング部２６１と同じく動作するので詳細な説明は省略する。
【００８５】
したがって、直流−交流変換部２９３は選択信号ＳＥＬにしたがって電源電圧（Ｖａｃ＿２）を選択的に提供するので、それによって第１及び第２のランプユニット（３００＿１、３００＿２）の全てが光を発生したり、或いは第１ランプユニット３００＿１だけが光を発生したりする。
【００８６】
上述した実施形態による電源供給装置は選択信号に応答して、第２直流電圧を第２直流−交流変換部に伝達したり、または遮断して、ランプに電源電圧を選択的に提供することができる。したがってランプによる消費電力を減らすことができる。
【００８７】
尚、本発明は、上述の実施形態に限られるものではない。本発明の技術的範囲から逸脱しない範囲内で多様に変更実施することが可能である。
【産業上の利用可能性】
【００８８】
本発明はバックライト用電源供給装置及びこれを含む液晶表示装置に利用できる。
【図面の簡単な説明】
【００８９】
【図１】本発明の実施形態による液晶表示装置の構成を示す概略ブロック図である。
【図２】本発明のいくつかの実施形態による電源供給装置の直流−交流変換部を説明するためのブロック図である。
【図３】本発明の第１の実施形態による電源供給装置の直流−交流変換部の回路図である。
【図４】選択信号がハイレベルである時の図３の第２直流−交流変換部の等価回路図である。
【図５】図３の第２直流−交流変換部の動作を説明するための表である。
【図６】本発明の第２の実施形態による電源供給装置の直流−交流変換部の回路図である。
【図７】選択信号がハイレベルである時の図６の第２直流−交流変換部の等価回路図である。
【図８】図６の第２直流−交流変換部の動作を説明するための表である。
【図９】本発明の第３の実施形態による電源供給装置の直流−交流変換部の回路図である。
【図１０】選択信号がハイレベルの場合の図９の第２直流−交流変換部の等価回路図である。
【図１１】図９の第２直流−交流変換部の動作を説明するための表である。
【図１２】本発明の第４の実施形態による電源供給装置の直流−交流変換部の回路図である。
【図１３】選択信号がハイレベルの場合の図１２の第２直流−交流変換部の等価回路図である。
【図１４】図１２の第２直流−交流変換部の動作を説明するための表である。
【図１５】本発明のさらに他のいくつかの実施形態による電源供給装置の直流−交流変換部のブロック図である。
【図１６】本発明の第５の実施形態による電源供給装置の直流−交流変換部の回路図である。
【図１７】本発明の第６の実施形態による電源供給装置の直流−交流変換部の回路図である。
【図１８】本発明の第７の実施形態による電源供給装置の直流−交流変換部の回路図である。
【符号の説明】
【００９０】
１        液晶表示装置
１００      バックライトアセンブリ
２００      電源供給装置
２１０      交流入力部
２２０      交流−直流整流部
２３０      直流−直流変換部
２４０、２４１、２４２、２４３、２４４、２９０、２９１、２９２、２９３  直流−交流変換部
２５０、２５１、２５２、２５３    第１直流−交流変換部
２６０、２６１、２６２、２６３、２６４、２８０、２８１、２８２  スイッチング部
２７０、２７１、２７２、２７３    第２直流−交流変換部
３００      ランプ
３００＿１〜３００＿ｎ    ランプユニット
４００      液晶パネルアセンブリ
【図１】
2008086186.tif 000003
【図２】
2008086186.tif 000004
【図３】
2008086186.tif 000005
【図４】
2008086186.tif 000006
【図５】
2008086186.tif 000007
【図６】
2008086186.tif 000008
【図７】
2008086186.tif 000009
【図８】
2008086186.tif 000010
【図９】
2008086186.tif 000011
【図１０】
2008086186.tif 000012
【図１１】
2008086186.tif 000013
【図１２】
2008086186.tif 000014
【図１３】
2008086186.tif 000015
【図１４】
2008086186.tif 000016
【図１５】
2008086186.tif 000017
【図１６】
2008086186.tif 000018
【図１７】
2008086186.tif 000019
【図１８】
2008086186.tif 000020